(57)【特許請求の範囲】
【請求項１】
支持脚の上位に天板を取付けるとともに、該天板と支持脚を側方へ連設して構成するデスクにおいて、前記支持脚は、奥行幅が前記天板よりも狭い脚板部と、前記脚板部の上端から前方へ延び上位に前記天板を取付ける支持アームとを有する逆Ｌ字形であり、必要に応じて前記脚板部の前方で前記支持アームと床面との間に、着脱自在としてパネル脚を設け、前記パネル脚は、上端に前記支持アームを受け入れて前後方向にスライド係合するガイド溝を形成するとともに、下端の前部に床面に接地するアジャスターを設け、前記ガイド溝内には前記支持アームを摺接するスライダー若しくは緩衝シートを設けてなり、前記支持アームを前記ガイド溝内に係合した状態で前記支持アームと前記パネル脚を一体化させてなることを特徴とするデスクにおける天板支持装置。
【請求項２】
前記パネル脚は、後端と前記脚板部の前端とを互いに凹凸嵌合する嵌合構造とし、前記パネル脚のガイド溝に前記支持アームを係合するとともに、前記パネル脚の後端を前記脚板部の前端に凹凸嵌合した状態で、前記支持脚とパネル脚とを前後方向に締結手段で引き付けて連結してなる請求項１記載のデスクにおける天板支持装置。
【請求項３】
前記締結手段は、前記パネル脚のガイド溝内の前端部に垂設した第１固定板に形成した通孔に前方から挿入した第１ボルトを前記支持アームの前端に設けた螺孔に螺合する第１の締結手段と、前記パネル脚の前部下端部に設けた第２固定板に形成した通孔に前方から挿入した第２ボルトを、該パネル脚を前後に貫通させて前記脚板部の下端部に形成した螺孔に螺合する第２の締結手段とからなる請求項２記載のデスクにおける天板支持装置。
【請求項４】
パネルフレームを側方へ順次連結し、該パネルフレームに支持脚を連結するとともに、該支持脚の上位に天板を取付けてなるパネルデスクシステムにおいて、請求項１〜３何れか１項に記載の天板支持装置を備えることを特徴とするデスクにおける天板支持装置。
【発明の詳細な説明】
【技術分野】
【０００１】
本発明は、デスクにおける天板支持装置に係わり、更に詳しくは天板とそれを支持する支持脚を側方へ連設して構成するデスクにおける天板支持装置に関するものである。
【背景技術】
【０００２】
従来から、特許文献１に開示されるように、間仕切パネルの縦枠同士を連結し、あるいは隣接する間仕切パネルを支柱を介して連結し、間仕切パネルの縦枠又は支柱に設けた係止孔に、ブラケットのフックを係止し、該ブラケットに机天板を載置して固定するとともに、適宜な縦枠又は支柱に脚部材を取付けて自立するようにした構造の机天板付き間仕切装置は公知である。
【０００３】
一方、特許文献２，３に開示されるように、端部脚、中間脚、ダクト機能を備えた脚間モジュール、天板等の基本構成部材を用いて、側方へ順次連結して所望の形態のデスクシステムを構成する組立式デスクも提供されている。
【０００４】
しかし、特許文献１に記載のものは、あくまでも間仕切装置であって、オプションとして机天板を取付けてデスクとしても利用できるに過ぎず、デスクとしての利用形態に自由度がなく、例えば間仕切パネルの両側に机天板を取付けた場合にもフラットな対面配置のデスクシステムを構成できない。また、特許文献２，３に記載のものは、拡張性のあるデスクシステムではあるが、間仕切パネルとは独立しており、間仕切パネルと有機的に組み合わせて使用できる構造ではない。
【０００５】
ここで、中間に設ける脚部材は、足入れ空間に位置するため、着座者の足の動作の邪魔にならないように、天板を直接支持する支持アームを除き奥行幅の狭い構造となっている。ところが、デスクシステムの態様変更により、一部の天板と中間脚を取り去って、例えばミーティングスペースを設ける場合、中間脚がデスクの端部に位置することになる。そのような場合、着座者の足がミーティングスペース側から見えるので、端部に位置する中間脚を奥行幅の広いパネル状の端部脚に付け替える必要があり、施工上の手間と余計な費用がかかっていた。
【０００６】
尚、特許文献４には、デスクの脚体を、後部に奥行幅の狭い脚板部を有し、該脚板部の下端から前方へ接地脚を延設するとともに、上端から前方へ天板支持アームを延設した前向き開口部を有する側面略コ字形とし、該脚体の前向き開口部に側パネルを着脱可能とした構造が開示されている。
【先行技術文献】
【特許文献】
【０００７】
【特許文献１】特開２００１−１２８７５３号公報
【特許文献２】特開平１０−１５５５５７号公報
【特許文献３】特開２００７−１５１８２４号公報
【特許文献４】特開平０８−１５４７４３号公報
【発明の概要】
【発明が解決しようとする課題】
【０００８】
そこで、本発明が前述の状況に鑑み、解決しようとするところは、最小限の部材の追加と簡単な施工により着座者の足が側方から見えないようにすることが可能なデスクにおける天板支持装置を提供する点にある。
【課題を解決するための手段】
【０００９】
本発明は、前述の課題解決のために、支持脚の上位に天板を取付けるとともに、該天板と支持脚を側方へ連設して構成するデスクにおいて、前記支持脚は、奥行幅が前記天板よりも狭い脚板部と、前記脚板部の上端から前方へ延び上位に前記天板を取付ける支持アームとを有する逆Ｌ字形であり、必要に応じて前記脚板部の前方で前記支持アームと床面との間に、着脱自在としてパネル脚を設け、前記パネル脚は、上端に前記支持アームを受け入れて前後方向にスライド係合するガイド溝を形成するとともに、下端の前部に床面に接地するアジャスターを設け、前記ガイド溝内には前記支持アームを摺接するスライダー若しくは緩衝シートを設けてなり、前記支持アームを前記ガイド溝内に係合した状態で前記支持アームと前記パネル脚を一体化させてなることを特徴とするデスクにおける天板支持装置を構成した（請求項１）。
【００１０】
具体的には、前記パネル脚は、後端と前記脚板部の前端とを互いに凹凸嵌合する嵌合構造とし、前記パネル脚のガイド溝に前記支持アームを係合するとともに、前記パネル脚の後端を前記脚板部の前端に凹凸嵌合した状態で、前記支持脚とパネル脚とを前後方向に締結手段で引き付けて連結してなることが好ましい（請求項２）。
【００１１】
ここで、前記締結手段は、前記パネル脚のガイド溝内の前端部に垂設した第１固定板に形成した通孔に前方から挿入した第１ボルトを前記支持アームの前端に設けた螺孔に螺合する第１の締結手段と、前記パネル脚の前部下端部に設けた第２固定板に形成した通孔に前方から挿入した第２ボルトを、該パネル脚を前後に貫通させて前記脚板部の下端部に形成した螺孔に螺合する第２の締結手段とからなることが好ましい（請求項３）。
【００１２】
また、パネルフレームを側方へ順次連結し、該パネルフレームに支持脚を連結するとともに、該支持脚の上位に天板を取付けてなるパネルデスクシステムにおいて、前述の天板支持装置を備えるものとするのが好ましい（請求項４）。
【発明の効果】
【００１３】
以上にしてなる請求項１に係るデスクにおける天板支持装置は、支持脚の上位に天板を取付けるとともに、該天板と支持脚を側方へ連設して構成するデスクにおいて、前記支持脚は、奥行幅が前記天板よりも狭い脚板部と、前記脚板部の上端から前方へ延び上位に前記天板を取付ける支持アームとを有する逆Ｌ字形であり、必要に応じて前記脚板部の前方で前記支持アームと床面との間に、着脱自在としてパネル脚を設け、前記パネル脚は、上端に前記支持アームを受け入れて前後方向にスライド係合するガイド溝を形成するとともに、下端の前部に床面に接地するアジャスターを設け、前記ガイド溝内には前記支持アームを摺接するスライダー若しくは緩衝シートを設けてなり、前記支持アームを前記ガイド溝内に係合した状態で前記支持アームと前記パネル脚を一体化させてなるので、最小限の部材の追加と簡単な施工により着座者の足が側方から見えないようにすることができ、しかも前記支持脚に天板を取付けたままで、前方からパネル脚のガイド溝内に支持脚の支持アームを受け入れてスライド係合させて取付けることができ、支持アームとパネル脚とが一体化して天板を支持することができる。また、ガイド溝に対する支持アームのスライド係合が円滑になり、またアジャスターを調節して床面に接触させることにより、天板を確実に支持することができる。
【００１４】
請求項２によれば、前記パネル脚は、後端と前記脚板部の前端とを互いに凹凸嵌合する嵌合構造とし、前記パネル脚のガイド溝に前記支持アームを係合するとともに、前記パネル脚の後端を前記脚板部の前端に凹凸嵌合した状態で、前記支持脚とパネル脚とを前後方向に締結手段で引き付けて連結してなるので、前記支持脚をパネルフレームの縦枠に取付けたままで、前方からパネル脚のガイド溝内に支持脚の支持アームを受け入れてスライド係合させ、パネル脚の後端と脚板部の前端を凹凸嵌合させると、正確な位置にパネル脚を設定でき、それにより締結手段による支持脚とパネル脚の引き付け連結が容易になるとともに、支持脚とパネル脚とが一体化して天板を支持することができる。
【００１５】
請求項３によれば、前記締結手段は、前記パネル脚のガイド溝内の前端部に垂設した第１固定板に形成した通孔に前方から挿入した第１ボルトを前記支持アームの前端に設けた螺孔に螺合する第１の締結手段と、前記パネル脚の前部下端部に設けた第２固定板に形成した通孔に前方から挿入した第２ボルトを、該パネル脚を前後に貫通させて前記脚板部の下端部に形成した螺孔に螺合する第２の締結手段とからなるので、パネル脚のガイド溝内に支持脚の支持アームを係合させ、パネル脚の後端と脚板部の前端を凹凸嵌合させた状態で、第１ボルトと第２ボルトを締め付けるだけで、支持脚とパネル脚とを強固に一体化することができ、また二つのボルトを緩めるだけで、パネル脚を簡単に取り去ることができる。
【００１６】
請求項４によれば、パネル部とデスクが有機的に組み合わさって、それぞれの機能を備えたものとすることができ、天板の支持脚を中間に設けた場合には、着座者の足の動作の邪魔にならず、また該支持脚を端部に設けた場合には、パネル脚を支持脚に取付けて着座者の足が側方から見えないようにすることができるとともに、端部脚と同様に安定に自立するための支持機能を発揮するのである。
【図面の簡単な説明】
【００１７】
【図１】本発明のデスクにおける天板支持装置を適用したパネルデスクシステムの簡略分解斜視図である。
【図２】パネルデスクシステムの一例を示し、対面フラットデスク態様の斜視図である。
【図３】パネルデスクシステムの一例を示し、中間にフロントパネルを備えた対面デスク態様の斜視図である。
【図４】パネルデスクシステムの一例を示し、高さの異なるフロントパネルを備え、一側に側面パネルを供えた片面デスク態様の斜視図である。
【図５】パネルフレームの縦枠に支持脚を取付ける構造を示す分解斜視図である。
【図６】同じくパネルフレームの縦枠に支持脚を取付けた状態の一部省略平面図である。
【図７】連結したパネルフレームの両縦枠に渡って支持脚を取付ける構造を示す分解斜視図である。
【図８】同じく連結したパネルフレームの両縦枠に渡って支持脚を取付けた状態の一部省略平面図である。
【図９】支持脚をパネルフレームの縦枠に取付けるための脚連結金具を示し、（ａ）は斜視図、（ｂ）は平面図、（ｃ）は側面図、（ｄ）は正面図を示している。
【図１０】パネルフレームの縦枠に支持脚を取付けた状態の斜視図である。
【図１１】支持脚にパネル脚を取付ける構造を示す分解斜視図である。
【図１２】支持脚にパネル脚を取付けた状態を示す斜視図である。
【図１３】支持脚にパネル脚を取付けた状態を示す横断平面図である。
【図１４】パネルフレームの上端に延長フレームを連設する構造を示す分解斜視図である。
【図１５】配線ダクトの構造を示す部分断面図である。
【図１６】ダクト開口にダクトカバーを開閉可能に取付ける構造を示す部分斜視図である。
【図１７】支持脚及び端部脚の上端後部に取付ける取付部材とダクトカバーを回動開閉可能に支持するヒンジ部材との関係を示し、（ａ）は断面図、（ｂ）は平面図である。
【図１８】ヒンジ部材を示し、（ａ）は側面図、（ｂ）は背面図、（ｃ）は底面図である。
【図１９】ダクトカバーの取付状態を示し、（ａ）はパネルフレームの上部にフロントパネル部を設けた場合の部分断面図、（ｂ）パネルフレームの上端に笠木を設けた場合の部分断面図である。
【図２０】ダクトカバーの開閉動作を示し、（ａ）は閉じた状態の部分断面図、（ｂ）は半分開いた状態の部分断面図、（ｃ）は全部開いた場合の部分断面図である。
【図２１】配線ダクト装置を示す分解斜視図である。
【図２２】同じく配線ダクト装置の部分拡大斜視図である。
【図２３】幕板を装着する前の配線ダクト装置の部分正面図である。
【図２４】配線ダクト装置の下部構造を示す部分拡大断面図である。
【発明を実施するための形態】
【００１８】
次に、添付図面に示した実施形態に基づき、本発明を更に詳細に説明する。図１は、本発明のデスクにおける天板支持装置を適用したパネルデスクシステムの構成部材を示す分解斜視図、図２〜図４はパネルデスクシステムの態様例を示し、図５〜図１４はパネルデスクシステムの基本構成を示し、図中符号１はパネルフレーム、２は端部脚、３は支持脚、４はパネル脚、５は天板、６はダクトカバー、７は上部配線受け、８は下部配線受け、９は幕板、１０は延長フレーム、１１はパネル板、１２は笠木、１３は側カバーをそれぞれ示している。
【００１９】
本実施形態に係るパネルデスクシステムは、図１に示すように、複数のパネルフレーム１，…を側方へ連結し、端部に位置する前記パネルフレーム１の縦枠１４に前記端部脚２を取付けるとともに、中間に位置する前記パネルフレーム１の縦枠１４に支持脚３，…を取付け、そして前記端部脚２と支持脚３の上位及び隣接する両側の支持脚３，３の上位に天板５を載置して固定する。前記天板５の後端と前記パネルフレーム１との間にダクト開口１５を設けて、該ダクト開口１５にダクトカバー６を開閉可能に設けている。また、前記ダクト開口１５の下方で、前記パネルフレーム１の前面側に上部配線受け７と下部配線受け８とを取付け、その前面側に着脱可能且つ開閉可能に幕板９を取付けて配線装置を構成している。また、前記支持脚３には、必要に応じてパネル脚４を連結一体化し、あたかも端部脚２のように構成することも可能である。尚、本発明は、このようなパネルデスクシステムに限らず、一般のデスクにも適用できるものである。
【００２０】
図２及び図３は、前記パネルフレーム１の両側に対称に天板５，５を配置した対面デスク態様を示している。本発明では、前記パネルフレーム１の高さは、その上端に笠木１２を取付けた状態で、該笠木１２の上面と前記天板５の上面とが略面一になるように設定されている。つまり、図２のように、前記パネルフレーム１の上端に笠木１２を取付け、前記天板５の後端との間に設けたダクト開口１５に前記ダクトカバー６を装着することにより、対面フラットデスク態様となる。また、図３のように、前記パネルフレーム１の上端に延長フレーム１０を連結し、該延長フレーム１０の表裏両面にパネル板１１，１１を取付けるとともに、該延長フレーム１０の上端に笠木１２、側端に側カバー１３を取付けることにより、対面した天板５，５の中間に目隠し機能を有するフロントパネル部１６を設けることができる。尚、前記パネルフレーム１の上端に笠木１２を取付けた場合も、延長フレーム１０とパネル板１１とを取付けた場合も、前記ダクト開口１５にはダクトカバー６を取付けることが可能である。
【００２１】
次に、各部の詳細を説明する。前記パネルフレーム１は、図１、図５及び図１４に示すように、両側に縦枠１４，１４を有し、両縦枠１４，１４の上端部間に上横枠１７と下部間に下横枠１８を縦枠１４の下端部を余して固着した構造である。前記上横枠１７と下横枠１８の表裏方向の厚さは縦枠１４よりも約５ｍｍ程度狭く設定し、該パネルフレーム１の両縦枠１４，１４の表面側に前記パネル板１１を装着した際に、前記上横枠１７及び下横枠１８とパネル板１１の裏面との間の隙間を利用してコードを配線できるようにしている。前記両縦枠１４，１４の下端には、高さ調節可能なアジャスター１９，１９を設けている。そして、両縦枠１４，１４の表裏両面には、前記パネル板１１の背面両側上下部に突設した係合部を係合して取付けるための開口２０，…を上下方向に所定ピッチで形成するとともに、上下部と中間部に左右一対の係止孔２１，２１を形成している。また、前記上横枠１７と下横枠１８の表裏両面で上縁に沿って横方向に一定間隔で横長の係合孔２２，…を形成し、該係合孔２２，…は上下パネル板１１，１１の間及びパネル板１１の上端と笠木１２の間の横目地部２３に露出するようになっている（図３及び図４参照）。前記パネルフレーム１，１同士は、互いの縦枠１４，１４の端面を接合した状態で、貫通したボルトとナットで側方へ連結する。この連結構造は、間仕切パネルの連結構造と同じである。
【００２２】
前記延長フレーム１０は、図１及び図１４に示すように、両側の縦枠２４，２４の上端部間に上横枠２５を固着するとともに、下端部間に下横枠２６を固着し、該縦枠２４には前記縦枠１４と同様に開口２０，…を形成し、上横枠２５にも前記上横枠１７と同様に係合孔２２，…を形成している。更に、前記延長フレーム１０の両縦枠２４，２４の下端には、前記パネルフレーム１の両縦枠１４，１４の上端開口に嵌合する嵌合部２７，２７を下方へ向けて延設している。そして、前記パネルフレーム１の上に延長フレーム１０を連結するには、前記延長フレーム１０の両嵌合部２７，２７をパネルフレーム１の両縦枠１４，１４の上端開口に嵌合するとともに、パネルフレーム１の上横枠１７と延長フレーム１０の下横枠２６を接合した状態で上下方向にボルトとナットで締結する。図４には、前記延長フレーム１０の高さが異なる２種類のものを用いて、段違いのフロントパネル部１６を構成している。尚、前記延長フレーム１０は、複数を上方へ積み重ねて連結することができ、所望の高さの間仕切パネルを構成できる。
【００２３】
前記支持脚３は、図５及び図６に示すように、奥行幅が前記天板５よりも狭く前記パネルフレーム１の縦枠１４の前面に沿って連結する脚板部２８と、該脚板部２８の上端から前方へ延び上位に前記天板５を取付ける支持アーム２９とを有する逆Ｌ字形である。前記脚板部２８の後端面には、前記縦枠１４の下側二対の係止孔２１，２１に係止する下向きフック３０，３０を上下部に突設するとともに、後端部上部には脚連結金具３１を受け入れ、上端後部から下方へ挿入した締結ボルト３２で上方へ引き付けることができるようになっている。前記脚連結金具３１は、図９に示すように、後側に前記縦枠１４の最上方の一対の係止孔２１，２１に係止する上向きフック３３，３３を突設するとともに、上面板３４に前記締結ボルト３２を螺合する螺孔３５を形成したものである。
【００２４】
そして、前記支持脚３を前記パネルフレーム１の縦枠１４に連結するには、先ず前記脚連結金具３１の上向きフック３３，３３を前記縦枠１４の最上方の係止孔２１，２１に係止した状態で、前記支持脚３の下向きフック３０，３０をそれぞれ下側二対の係止孔２１，２１に係止するとともに、前記脚連結金具３１を脚板部２８の上端部内に受け入れる。それから、前記脚板部２８の上端の通孔から挿入した前記締結ボルト３２を脚連結金具３１の螺孔３５に螺合し、該脚連結金具３１を上方へ引き上げると、それに伴って前記支持脚３が下方へ押し下げられ、前記下向きフック３０は下方へ、上向きフック３３は上方へ力が加わるので、強固に連結される。ここで、前記支持脚３の脚板部２８の下端には、高さ調節可能なアジャスター３６を設けてあり、調節して床面に接地させる。
【００２５】
図５及び図６は、前記パネルフレーム１の各縦枠１４にそれぞれ前記支持脚３を連結する例であるが、図７及び図８に示すように、連結したパネルフレーム１，１の両縦枠１４，１４の接合線に一つの前記支持脚３の中心が位置するように取付けることも可能である。それにより、中間部に設ける支持脚３の数を少なくすることができる。図７に示すように、連結したパネルフレーム１，１の両縦枠１４，１４の同じ高さ位置に、４つの係止孔２１，…が存在するので、中央側の二つの係止孔２１，２１を選んで、前記同様に脚連結金具３１を用いて支持脚３を取付けるのである。つまり、隣接する各パネルフレーム１の縦枠１４の外側の係止孔２１を一対用いるのである。取付方法は、前記と全く同様である。
【００２６】
そして、前記支持脚３の支持アーム２９に前記天板５を載置して固定するには、前記支持アーム２９上端前後部に固定板３７，３７を取付け、該固定板３７を天板５の下面にネジ止めして固定する。前記固定板３７は、中心とその両側等距離に通孔３８，…を有し、パネルフレーム１の各縦枠１４にそれぞれ支持脚３を取付ける場合には、一端部の通孔３８を用いて内側に突出するように前記固定板３７をネジ３９で固定する（図５参照）。一方、連結したパネルフレーム１，１の互いに接合した縦枠１４，１４の中央に一つの支持脚３を取付ける場合には、中央の通孔３８を用いて前記固定板３７が両側に突出するように固定する。そして、前記天板５の両側部を支持脚３の上端に載置し、前記固定板３７の残余の通孔３８を用いてネジ止めする。尚、図１０に示すように、前記端部脚２の上端前後部にも前記固定板３７，３７を内側へ突出するように固定し、同様に天板５をネジ止めする。
【００２７】
本実施形態では、図１１及び図１２に示すように、必要に応じて前記支持脚３の脚板部２８の前方で前記支持アーム２９と床面との間に、該支持アーム２９と一体化するパネル脚４を着脱可能に取付けることができるようになっている。前記支持脚３にパネル脚４を連結した状態では、前記端部脚２と略同等な外形となる。
【００２８】
前記パネル脚４は、上端に前記支持アーム２９を受け入れて前後方向にスライド係合するガイド溝４０を形成するとともに、後端と前記脚板部２８の前端とを互いに凹凸嵌合する嵌合構造とし、前記パネル脚４のガイド溝４０に前記支持アーム２９を係合するとともに、前記パネル脚４の後端を前記脚板部２８の前端に凹凸嵌合した状態で、前記支持脚３とパネル脚４とを前後方向に締結手段で引き付けて連結する。具体的には、前記パネル脚４の後端の上下部に係合片４１，４１を突設するとともに、前記支持脚３の脚板部２８の前端面に前記係合片４１，４１をそれぞれ嵌入する縦長の角孔４２，４２を上下部に形成し、前記凹凸嵌合構造としている。そして、前記締結手段は、前記パネル脚４のガイド溝４０内の前端部に垂設した第１固定板４３に形成した通孔４４に前方から挿入した第１ボルト４５を前記支持アーム２９の前端に設けた螺孔４６に螺合する第１の締結手段と、前記パネル脚４の前部下端部に設けた第２固定板４７に形成した通孔（図示せず）に前方から挿入した第２ボルト４８を、該パネル脚４を前後に貫通させて前記脚板部２８の下端部に形成した螺孔４９に螺合する第２の締結手段とからなる。
【００２９】
更に、前記パネル脚４のガイド溝４０の底面に、前記支持アーム２９の下面を摺接するスライダー５０，…を複数設けるとともに、ガイド溝４０の両内壁には緩衝シート５１，…を複数箇所に添設し、そして下端の前部に床面に接地するアジャスター５２を設けている。更に、前記パネル脚４の前面上下端部に、前記第１ボルト４５と第２ボルト４８の頭部を隠すキャップ５３，５４をそれぞれ着脱可能に装着している。
【００３０】
このように、前記パネル脚４のガイド溝４０の後端解放部から、前記パネルフレーム１の縦枠１４に取付けた支持脚３の支持アーム２９を受け入れて、前記スライダー５０，…と緩衝シート５１，…を摺動させながら、該パネル脚４の後端に突設した係合片４１，４１を、支持脚３の脚板部２８の前端面に形成した角孔４２，４２に嵌入して、互いに接合すると、支持脚３に対してパネル脚４の位置が正確に規定されるので、前記第１ボルト４５と第２ボルト４８をそれぞれ螺孔４６と螺孔４９に螺合する作業が簡単になる。そして、前記第１の締結手段と第２の締結手段によって、支持脚３とパネル脚４が前後方向に引き付けて強固に連結する。図１３に示すように、前記支持脚３の脚板部２８の前端に形成した凹部２８Ａと前記パネル脚４の後端に形成した凸部４Ａとを凹凸嵌合させるとともに、係合片４１，４１を角孔４２，４２に嵌入して連結した状態では、前記脚板部２８とパネル脚４の外面が面一になり、外観的にも一体化するのである。
【００３１】
ここで、図５及び図６に示したように、パネルフレーム１の各縦枠１４にそれぞれ支持脚３を取付け、端部脚２と支持脚３及び両支持脚３，３の上位にそれぞれ天板５，…を取付けた場合には、特定の天板５とそれを支持していた支持脚３を他の天板５と支持脚３とに関係なく取り除くことができ、その取り除いた空間をミーティングスペース等の他の目的に使用できるように、態様を変更することが容易である。その場合、中間に位置していた支持脚３が端部に位置するようになると、足入れ空間を側方から隠蔽するために、前記パネル脚４を支持脚３に装着し、あたかも端部脚２のように変更するのである。
【００３２】
次に、図１５〜図２０に基づいて、ダクトカバー取付装置について説明する。前記天板５は、後端と前記パネルフレーム１の上横枠１７との間にダクト開口１５を設けて、前記支持脚３の上端及び端部脚２の上端に取付けられ、該ダクト開口１５に面する前記支持脚３と端部脚２の上端後部に取付部材５５を取付け、そして該取付部材５５に対して前記ダクトカバー６を回動開閉可能に支持するヒンジ部材５６を前後方向の位置を変更可能に取付けている。前記取付部材５５とヒンジ部材５６は共に合成樹脂製である。
【００３３】
前記取付部材５５は、図１６及び図１７に示すように、偏平な平面視略長方形であり、下面の前後部に前向きフック５７，５７を突設するとともに、上面前端部に前記天板５の後端を当止する当止部５８を突設している。そして、前記取付部材５５の前向きフック５７，５７を前記パネルフレーム１の縦枠１４に取付ける前に、前記支持脚３と端部脚２の上端後部に形成した嵌合穴（図示せず）に落とし込み、前方へずらせて係止した状態で、前記縦枠１４に前記支持脚３と端部脚２を取付けると、該取付部材５５の後端が縦枠１４の前面に当止するので、脱落することがない。前記取付部材５５の後部には、前記締結ボルト３２の頭部を挿通するための円孔５９を形成している。
【００３４】
更に、前記取付部材５５の上面板の後部左右両側には係止穴６０，６０を形成するとともに、中央部には係合穴６１を形成し、該係合穴６１の両側に前後方向に延びたスリット孔６２，６２を形成し、前記係止穴６０，６０と係合穴６１を一組とし、それを前後に位置をずらせて２組形成している。尚、前記スリット孔６２，６２は前後方向に二つのスリット孔が連続したものとなっており、実質的に前後方向に位置をずらせて２組設けたのと同じである。一方、前記ヒンジ部材５６は、図１８に示すように、基板６３の上面左右両側に空間を設けて一対の回動部６４，６４を突設し、前記基板６３の下面の両側後端部に前記係止穴６０，６０に係止する後向き係止爪６５，６５を突設するとともに、中央部に前記係合穴６１に係合する突起６６を突設し、更に該突起６６の左右両側に前記スリット孔６２，６２に弾性的に係止する弾性爪６７，６７を突設したものである。
【００３５】
前記ヒンジ部材５６を前記取付部材５５に取付けるには、該ヒンジ部材５６の後向き係止爪６５，６５を、前記取付部材５５の前後一方の係止穴６０，６０に斜めから挿入しながら、該ヒンジ部材５６を水平に戻して、前記突起６６を前後一方の係合穴６１に挿入すると同時に、左右の弾性爪６７，６７をスリット孔６２，６２に弾性的に抜止め係合する。前記ヒンジ部材５６の取付位置は、前後にずらせた２組のうち、一方の前記係止穴６０，６０と係合穴６１を選択して決める。
【００３６】
前記ダクトカバー６は、図１０、図１６及び図２０に示すように、アルミ押出し型材からなる本体部６８と両端に嵌着する合成樹脂製のエンドキャップ６９，６９と、前記本体部６８の前縁に装着した可撓性を有するリップ部７０とから構成され、前記本体部６８の後部下面側には、前記ヒンジ部材５６の回動部６４の回動可能に外嵌する軸受部７１を形成している。そして、前記ダクトカバー６の軸受部７１を、前記ヒンジ部材５６の回動部６４に無理嵌めすることによって回動可能に保持する。ここで、前記回動部６４と軸受部７１とは、弾性的に完全閉止時、４５度開放時、９０度開放時にクリック感を持って状態を維持できるように前記回動部６４の外側に弾性係合部７２を形成するとともに、軸受部７１の外周面で円周方向の３箇所に前記弾性係合部７２を係合する凹部７３，…を設けている。
【００３７】
図５のような各縦枠１４に支持脚３及び端部脚２を取付ける場合には、天板５とダクトカバー６の左右端部の位置は、前記支持脚３及び端部脚２の外側面に一致するので、前記ヒンジ部材５６の両回動部６４，６４に同一のダクトカバー６の軸受部７１を同時に回動可能に嵌合する。一方、図７のように、接合した両縦枠１４，１４の中間に支持脚３を取付け、隣接する両天板５，５の取付けに共用する場合には、天板５とダクトカバー６の左右端部の位置は、支持脚３の中心部になり、そのため前記ヒンジ部材５６の一方の回動部６４にダクトカバー６の軸受部７１を回動可能に嵌合し、エンドキャップ６９は、両回動部６４，６４の間の空間に位置させる。
【００３８】
このように、前記ダクト開口１５に対して前記ダクトカバー６を前後方向の位置を変更可能に取付けることができるようにしたので、前記ダクトカバー６のリップ部７０と天板５の後端との間隔を、その間を挿通するコード、ケーブルの直径に応じて調節することができる。勿論、前記リップ部７０は、可撓性を有するので、ダクト開口１５にコード、ケーブルを挿通したまま、リップ部７０を変形させながらダクトカバー６を閉じることは可能である。また、前記ダクトカバー６を前後方向の位置を変更可能に取付けることができると、図１９に示すように、パネルデスクシステムの態様に応じて、ダクトカバー６の位置を設定できるメリットがある。つまり、図１９（ａ）に示した中間にフロントパネル部１６を備えた対面デスク態様では、前記フロントパネル部１６のパネル板１１が上横枠１７よりも前方に板厚分だけ突出し、前記ダクト開口１５の奥行幅を狭めることになるので、前記ダクトカバー６を前側の位置に取付けることで干渉を無くすることができる。一方、図１９（ｂ）に示した対面フラットデスク態様では、上横枠１７の上面に取付けた笠木１２は、該上横枠１７よりも前方へ突出するが、前記パネル板１１ほどではないので、前記ダクトカバー６を後側の位置に取付けることで、閉止時のダクトカバー６と笠木１２との間の隙間を小さくして、外観性を良くすることができる。
【００３９】
次に、図１５、図２１〜図２４に基づいて、配線ダクト装置を説明する。前記ダクト開口１５の下方の空間で、前記パネルフレーム１の上横枠１７の前面側に前記上部配線受け７を取付けるとともに、下横枠１８の前面側に下部配線受け８を取付け、更に両配線受けの前面側に前記幕板９を開閉可能且つ着脱可能に取付けて内部空間を形成し、前記上部配線受け７と下部配線受け８に収容した余剰コード、ケーブルが前方から見えないようにしている。具体的には、前記下横枠１８の左右両側部に取付けた支持金具７４，７４で前記幕板９の下端を前後傾動可能に支持するとともに、前記天板５の下面両側部に取付けた係止金具７５，７５で前記幕板９の上部両側部に設けたラッチ７６，７６を係着して取付けている。尚、前記幕板９の前面側には、前記ラッチ７６，７６の操作部のみが露出している。
【００４０】
前記上部配線受け７は、図２１〜図２３に示すように、スチール板を折曲形成したものであり、垂直板７７の下部に断面コ字形の受部７８を形成し、該垂直板７７の両側上端部に下が大径、上が小径のダルマ孔７９，７９を形成したものである。そして、前記パネルフレーム１の上横枠１７の前面両側に形成した螺孔８０，８０に緩く螺合しておいたネジ８１，８１の頭部に、前記上部配線受け７のダルマ孔７９，７９の大径部から挿入して小径部に係止し、それから前記ネジ８１，８１を締付けて取付ける。ここで、前記上部配線受け７の垂直板７７の上部に沿って段部８２を形成し、前記上横枠１７に取付けた際に、該段部８２が該上横枠１７の下縁に沿うことで確実に取付けることができる。また、前記垂直板７７には、両側部にコード挿通孔８３，８３を形成し、対面配線を容易にしている。更に、前記上部配線受け７の受部７８に対応して、前記支持脚３の脚板部２８の上部に開閉窓８４を設け、支持脚３を貫通して左右に配線できるようにしている（図１３参照）。
【００４１】
前記下部配線受け８は、図２１〜図２４に示すように、スチール板を折曲形成したものであり、上下幅の狭い垂直板８５の上縁に断面Ｌ字形の受部８６を形成したクランク状の形状とし、前記垂直板８５の両側下端部に下方に開放したＵ字孔８７，８７を形成している。そして、前記パネルフレーム１の下横枠１８の前面両側に形成した螺孔８８，８８に緩く螺合しておいたネジ８９，８９の軸部に、上方から前記下部配線受け８のＵ字孔８７，８７を係合させ、それから前記ネジ８９，８９を締付けて取付ける。ここで、前記垂直板８５の下縁に沿って後方へ折曲片９０を折曲形成し、前記下横枠１８に取付けた際に、該折曲片９０が該下横枠１８の下縁に沿うことで確実に取付けることができる。
【００４２】
前記支持金具７４は、図２１〜図２４に示すように、側面視略直角三角形状であり、前記下横枠１８の前面に当接する垂直板９１の上端に前記ネジ８９を挿通する通孔９２を形成し、下部の水平板９３の前端に斜めに立ち上がった係止片９４を形成したものである。尚、前記支持金具７４の略三角形状の両側面板９５，９５の上端部は、前記垂直板９１よりも後方へ突出した突片９６とし、前記下横枠１８の下端に当接するようにしている。実際に、前記支持金具７４と下部配線受け８は、同じ前記ネジ８９，８９で下横枠１８に取付けるが、それには先ず、前記支持金具７４の垂直板９１の通孔９２に、前記ネジ８９を通して前記下横枠１８の螺孔８８に緩く螺合し、それから前記垂直板９１の前面側に前記下部配線受け８の垂直板８５を重ねるとともに、該ネジ８９の軸部にＵ字孔８７を係合させ、最後にネジ８９を強く螺合して、両垂直板８５，９１を下横枠１８に締付ける。
【００４３】
一方、前記係止金具７５は、図２１〜図２３に示すように、前記天板５の下面にネジ止めする取付板９７の両側から下方へ一対の垂下板９８，９８を折曲形成し、両垂下板９８，９８の先端部間に係止ピン９９を渡設した形状である。前記係止金具７５，７５を天板５の下面後部の両側にネジ止めし、前記支持金具７４，７４の係止片９４，９４に前記幕板９の下端両側に形成した支持孔１００，１００を落とし込んで挿入し、それから幕板９を垂直にして前記ラッチ７６，７６を前記係止金具７５，７５の係止ピン９９，９９に係止する。
【００４４】
本実施形態の配線ダクト装置は、前記パネルフレーム１の片面にのみ天板５を設ける片面デスク態様の場合は、前記パネルフレーム１の外側、つまり裏面側の両縦枠１４，１４にパネル板１１を取付け、更に該パネル板１１の下方に上下幅の小さな巾木を取付けて塞ぎ、外観性を良くすることができる。そして、天板５の下方の奥部の前記幕板９で囲まれた空間に上部配線受け７と下部配線受け８とを設けるので、外部から全く見えないようになり、大容量のコード、ケーブルを配線することができる。また、配線受けは上下に二段になっているので、強電の電源コード類と弱電の信号ケーブル類を分けて配線し、信号ケーブルに雑音が入らないようにすることも可能である。また、前記パネルフレーム１の表裏両面に対面させて天板５，５を設ける対面デスク態様では、パネルフレーム１にはパネル板１１を取付けず、それぞれの天板５の下方の奥部に設けた幕板９，９で囲まれる広い空間を配線に利用することができる。その場合、パネルフレーム１を通して前後に自由に配線することが可能である。
【００４５】
本発明に係る天板支持装置によって、複数の前記天板５，…を支持し、多様なレイアウトのパネルデスクシステムを構成できる。通常、中間部には逆Ｌ字形の支持脚３を用いるが、各種デスクレイアウトに応じた重量バランスを保つ等の事情に応じて、前述のように前記支持脚３にパネル脚４を装着する場合がある。この場合、前記パネル脚４によってデスク下方空間が左右方向に区画されることになり、主にパネル脚４が障害となってデスク下方空間相互間の配線が困難ないし煩雑となるため、配線対策が必要となる。そこで、図１１〜図１３に示すように、前記支持脚３に対して前記パネル脚４を装着した状態において、これら脚部を越えて左右方向に配線できるように、前記支持脚３又はパネル脚４の少なくとも一方に左右方向に貫通する配線通路１０１を設ける。図示した実施形態では、前記支持脚３の脚板部２８の上部に前記配線通路１０１を設け、該配線通路１０１の両開口部には前記開閉窓８４，８４を設けている。
【００４６】
具体的には、図１３に示すように、前記支持脚３の中空の脚板部２８を構成する両側板１０２，１０２の対向位置にそれぞれ開口１０３を形成し、各開口１０３に外側から筒状のスリーブ１０４を嵌着し、両スリーブ１０４，１０４によって前記配線通路１０１を形成し、更に該スリーブ１０４に対して前記開閉窓８４をスライド開閉可能に設けている。前記スリーブ１０４は、外側開口縁で上下部と前部に、前記側板１０２に当接するフランジ部１０５を有し、上下のフランジ部１０５，１０５の内縁部に前記開閉窓８４を後方へスライド開閉可能に装着している。通常は、図１３の右側の開閉窓８４のように閉じているが、前記脚板部２８を通して配線する必要が生じた場合には、図１３の左側の開閉窓８４のように後方へスライドさせて配線通路１０１を開放するのである。
【００４７】
このように、前記配線通路１０１は、前記脚板部２８の両側板１０２，１０２を貫通して形成される通路であり、前記パネル脚４は、当該配線通路１０１を塞がないように、前記脚板部２８の両側板１０２，１０２の全部又は一部が露出する態様で前記支持脚３に対して装着される必要がある。つまり、前記スリーブ１０４，１０４に干渉しないように、前記パネル脚４が前記支持脚３に対して装着される。
【００４８】
また、前記端部脚２の横方向にデスクを追加する場合などにも、該端部脚２を越えて配線する必要が生じることがある。そのような場合を想定して、前記端部脚２の後部にも前記同様に左右方向に貫通する配線通路１０１を形成し、両側に開閉窓８４，８４を設けておくことが望ましい。
【符号の説明】
【００４９】
１  パネルフレーム、          ２  端部脚、
３  支持脚、                  ４  パネル脚、
５  天板、                    ６  ダクトカバー、
７  上部配線受け、            ８  下部配線受け、
９  幕板、                    １０  延長フレーム、
１１  パネル板、              １２  笠木、
１３  側カバー、              １４  縦枠、
１５  ダクト開口、            １６  フロントパネル部、
１７  上横枠、                １８  下横枠、
１９  アジャスター、          ２０  開口、
２１  係止孔、                ２２  係合孔、
２３  横目地部、              ２４  縦枠、
２５  上横枠、                ２６  下横枠、
２７  嵌合部、                ２８  脚板部、
２９  支持アーム、            ３０  下向きフック、
３１  脚連結金具、            ３２  締結ボルト、
３３  上向きフック、          ３４  上面板、
３５  螺孔、                  ３６  アジャスター、
３７  固定板、                ３８  通孔、
３９  ネジ、                  ４０  ガイド溝、
４１  係合片、                ４２  角孔、
４３  第１固定板、            ４４  通孔、
４５  第１ボルト、            ４６  螺孔、
４７  第２固定板、            ４８  第２ボルト、
４９  螺孔、                  ５０  スライダー、
５１  緩衝シート、            ５２  アジャスター、
５３  キャップ、              ５４  キャップ、
５５  取付部材、              ５６  ヒンジ部材、
５７  前向きフック、          ５８  当止部、
５９  円孔、                  ６０  係止穴、
６１  係合穴、                ６２  スリット孔、
６３  基板、                  ６４  回動部、
６５  後向き係止爪、          ６６  突起、
６７  弾性爪、                ６８  本体部、
６９  エンドキャップ、        ７０  リップ部、
７１  軸受部、                ７２  弾性係合部、
７３  凹部、                  ７４  支持金具、
７５  係止金具、              ７６  ラッチ、
７７  垂直板、                ７８  受部、
７９  ダルマ孔、              ８０  螺孔、
８１  ネジ、                  ８２  段部、
８３  コード挿通孔、          ８４  開閉窓、
８５  直板、                  ８６  受部、
８７  Ｕ字孔、                ８８  螺孔、
８９  ネジ、                  ９０  折曲片、
９１  垂直板、                ９２  通孔、
９３  水平板、                ９４  係止片、
９５  側面板、                ９６  突片、
９７  取付板、                ９８  垂下板、
９９  係止ピン、              １００  支持孔、
１０１  配線通路、            １０２  側板、
１０３  開口、                １０４  スリーブ、
１０５  フランジ部。
【図１】
0005923855.tif 000002
【図２】
0005923855.tif 000003
【図３】
0005923855.tif 000004
【図４】
0005923855.tif 000005
【図５】
0005923855.tif 000006
【図６】
0005923855.tif 000007
【図７】
0005923855.tif 000008
【図８】
0005923855.tif 000009
【図９】
0005923855.tif 000010
【図１０】
0005923855.tif 000011
【図１１】
0005923855.tif 000012
【図１２】
0005923855.tif 000013
【図１３】
0005923855.tif 000014
【図１４】
0005923855.tif 000015
【図１５】
0005923855.tif 000016
【図１６】
0005923855.tif 000017
【図１７】
0005923855.tif 000018
【図１８】
0005923855.tif 000019
【図１９】
0005923855.tif 000020
【図２０】
0005923855.tif 000021
【図２１】
0005923855.tif 000022
【図２２】
0005923855.tif 000023
【図２３】
0005923855.tif 000024
【図２４】
0005923855.tif 000025